(57)【特許請求の範囲】
【請求項１】
それぞれが通信経路の接続および切替を行う複数のクロスコネクト装置と、
この複数のクロスコネクト装置を制御し、これらのクロスコネクト装置の間にそのひとつを始点、他のひとつを終点、さらに他の１以上を経由点とする通信経路を設定する手段と
を備え、
前記通信経路を設定する手段は、前記始点と前記終点との間の現在の通信経路を他の経路に切り替える切替制御手段を含む
クロスコネクト接続装置において、
前記切替制御手段は、
通信経路の始点と終点との間の迂回路、始点または終点とひとつの経由点との間の迂回路、および経由点間の迂回路について、切替前と切替後の経由の違いおよび迂回路の終端点の違いによりあらかじめ分類した切替パターンを蓄える切替パターン分類テーブルと、
現在の通信経路とその通信経路から切り替えるべき他の経路との情報から前記切替パターン分類テーブルを検索する手段と、
検索により得られた分類パターンにしたがって切替制御を実行する手段と
を含む
ことを特徴とするクロスコネクト接続装置。
【請求項２】
前記切替制御を実行する手段は、
通信経路の切替前と切替後の経路の違いおよび迂回路の終端点の違いにより、クロスコネクトの方向転換および接続、切替前の経路で不要となったクロスコネクトの解放、およびクロスコネクトの復元のそれぞれの処理を類似機能ごとにあらかじめ複数の機能単位に分類して蓄えるクロスコネクト接続制御機能テーブルと、
前記検索により得られた分類パターンにより前記クロスコネクト接続制御機能テーブルを検索し、その分類パターンに対して実行すべき１または複数の機能単位を読み出して実行する手段と
を含む
請求項１記載のクロスコネクト接続装置。
【請求項３】
前記切替パターン分類テーブルに蓄えられた切替パターンには、現在の通信経路から他の経路に切り替えるときにその切替後の経路の一部にさらに迂回路が必要な場合に、現在の通信経路から切り替える前に切替後の経路の前記一部に迂回路を設定しておき、その後にその迂回路を設定した経路に無瞬断で経路を切り替える切替パターンを含む請求項１記載のクロスコネクト接続装置。
【請求項４】
それぞれが通信経路の接続および切替を行う複数のクロスコネクト装置のひとつを始点、他のひとつを終点、さらに他の１以上を経由点とする通信経路を他の経路に切り替えるクロスコネクト接続方法において、
通信経路の始点と終点との間の迂回路、始点または終点とひとつの経由点との間の迂回路、および経由点間の迂回路について、切替前と切替後の経由の違いおよび迂回路の終端点の違いによりあらかじめ分類して切替パターンとして切替パターン分類テーブルに蓄えておき、
現在の通信経路とその通信経路から切り替えるべき他の経路の情報とから前記切替パターン分類テーブルを検索し、
検索により得られた分類パターンにしたがって切替制御を実行する
ことを特徴とするクロスコネクト接続方法。
【請求項５】
切替制御の実行は、
通信経路の切替前と切替後の経路の違いおよび迂回路の終端点の違いにより、クロスコネクトの方向転換および接続、切替前の経路で不要となったクロスコネクトの解放、およびクロスコネクトの復元のそれぞれの処理を類似機能ごとにあらかじめ複数の機能単位に分類してクロスコネクト接続制御機能テーブルに蓄えておき、
前記検索により得られた分類パターンにより前記クロスコネクト接続制御機能テーブルを検索し、その分類パターンに対して実行すべき１または複数の機能単位を読み出してそれを実行する
請求項４記載のクロスコネクト接続方法。
【請求項６】
現在の通信経路から他の経路に切り替えるときにその切替後の経路の一部にさらに迂回路が必要な場合に、現在の通信経路から切り替える前に切替後の経路の前記一部に迂回路を設定しておき、その後にその迂回路を設定した経路に無瞬断で経路を切り替える請求項４記載のクロスコネクト接続方法。
【発明の詳細な説明】
【０００１】
【産業上の利用分野】
本発明はディジタル伝送路網のパス設定に利用する。特に、迂回路への切替または迂回路からの切り戻しに関する。
【０００２】
【従来の技術】
図３２は従来のディジタル伝送路網切替方式（ＤＳＷ）を説明するブロック構成図である。ここでは、網内端局１１、１２を始点、終点とするパスについて、網内接局２１、２２を直接に結ぶ経路から網内接局２３を経由する迂回路に切り替える場合について説明する。ここで、「網内端局」とはパスの始点または終点から最も近くにあってクロスコネクトを行う装置をいい、「網内接局」とはパスの始点と終点との間にあってクロスコネクトを行う装置をいう。網内端局１１、１２間のパスを切り替えるためには、オペレータが操作装置１から切替対象パスおよび迂回路を指定する。この指定に基づいて制御装置２は、指定された切替対象パスおよび迂回路からクロスコネクト命令を作成し、対応する網内接局２１、２２、２３を制御して切替を実行する。
【０００３】
【発明が解決しようとする課題】
しかし、従来の切替方式では、ひとつのパス情報に対して網内端局を始点、終点とする１種類の迂回路でしか切り替えることができなかった。
【０００４】
本発明は、このような課題を解決し、ひとつのパス情報から、網内端局を始点、終点とする迂回路だけでなく、網内接局を始点、終点とする迂回路など多種多様な迂回路の切替に対応できるクロスコネクト接続方法および装置を提供することを目的とする。
【０００５】
【課題を解決するための手段】
本発明の第一の観点によると、それぞれが通信経路の接続および切替を行う複数のクロスコネクト装置と、この複数のクロスコネクト装置を制御し、これらのクロスコネクト装置の間にそのひとつを始点（網内端局）、他のひとつを終点（網内端局）、さらに他の１以上を経由点（網内接局）とする通信経路を設定する手段とを備え、通信経路を設定する手段は、始点と終点との間の現在の通信経路を他の経路に切り替える切替制御手段を含むクロスコネクト接続装置において、切替制御手段は、通信経路の始点と終点との間の迂回路、始点または終点とひとつの経由点との間の迂回路、および経由点間の迂回路について、切替前と切替後の経由の違いおよび迂回路の終端点の違いによりあらかじめ分類した切替パターンを蓄える切替パターン分類テーブルと、現在の通信経路とその通信経路から切り替えるべき他の経路との情報から切替パターン分類テーブルを検索する手段と、検索により得られた分類パターンにしたがって切替制御を実行する手段とを含むことを特徴とするクロスコネクト接続装置が提供される。
【０００６】
切替制御を実行する手段は、通信経路の切替前と切替後の経路の違いおよび迂回路の終端点の違いにより、クロスコネクトの方向転換および接続、切替前の経路で不要となったクロスコネクトの解放、およびクロスコネクトの復元のそれぞれの処理を類似機能ごとにあらかじめ複数の機能単位に分類して蓄えるクロスコネクト接続制御機能テーブルと、検索により得られた分類パターンによりクロスコネクト接続制御機能テーブルを検索し、その分類パターンに対して実行すべき１または複数の機能単位を読み出して実行する手段とを含むことが望ましい。
【０００７】
切替パターン分類テーブルに蓄えられた切替パターンには、現在の通信経路から他の経路に切り替えるときにその切替後の経路の一部にさらに迂回路が必要な場合に、現在の通信経路から切り替える前に切替後の経路の一部に迂回路を設定しておき、その後にその迂回路を設定した経路に無瞬断で経路を切り替える切替パターンを含むことがよい。
【０００８】
本発明の第二の観点によると、それぞれが通信経路の接続および切替を行う複数のクロスコネクト装置のひとつを始点、他のひとつを終点、さらに他の１以上を経由点とする通信経路を他の経路に切り替えるクロスコネクト接続方法において、通信経路の始点と終点との間の迂回路、始点または終点とひとつの経由点との間の迂回路、および経由点間の迂回路について、切替前と切替後の経由の違いおよび迂回路の終端点の違いによりあらかじめ分類して切替パターンとして切替パターン分類テーブルに蓄えておき、現在の通信経路とその通信経路から切り替えるべき他の経路の情報とから切替パターン分類テーブルを検索し、検索により得られた分類パターンにしたがって切替制御を実行することを特徴とするクロスコネクト接続方法が提供される。
【０００９】
切替制御の実行は、通信経路の切替前と切替後の経路の違いおよび迂回路の終端点の違いにより、クロスコネクトの方向転換および接続、切替前の経路で不要となったクロスコネクトの解放、およびクロスコネクトの復元のそれぞれの処理を類似機能ごとにあらかじめ複数の機能単位に分類してクロスコネクト接続制御機能テーブルに蓄えておき、検索により得られた分類パターンによりクロスコネクト接続制御機能テーブルを検索し、その分類パターンに対して実行すべき１または複数の機能単位を読み出してそれを実行することが望ましい。
【００１０】
現在の通信経路から他の経路に切り替えるときにその切替後の経路の一部にさらに迂回路が必要な場合には、現在の通信経路から切り替える前に切替後の経路の一部に迂回路を設定しておき、その後にその迂回路を設定した経路に無瞬断で経路を切り替えることがよい。
【００１１】
【作用】
多種多様な迂回路の切替に対応するため、切替前と切替後の経路の違い、および迂回路の始点、終点の違いに着目し、切替パターンとして分類する。これにより、１つのパス情報から網内端局を始点、終点とする迂回路だけでなく、網内端局を始点、網内接局を終点とする迂回路や、網内接局を始点、終点とする迂回路など、多種多様な迂回路への切替が可能となる。また、切替先の経路をさらに再度切り替える場合にも同様の制御が可能である。
【００１２】
【実施例】
図１は本発明実施例のクロスコネクト接続装置を示すブロック構成図であり、本発明をディジタル伝送路網で実施した例を示す。
【００１３】
この装置は、それぞれが通信経路の接続および切替を行う複数のクロスコネクト装置を備え、この複数のクロスコネクト装置を制御し、これらのクロスコネクト装置の間にそのひとつを始点、他のひとつを終点、さらに他の１以上を経由点とする通信経路を設定する手段として操作装置１および制御装置２を備える。通信経路の設定は、制御装置２においてクロスコネクト命令を作成し、それをクロスコネクト装置に出力することにより行われる。ここで、始点、終点となったクロスコネクト装置を網内端局１１、１２、経由点となったクロスコネクト装置を網内接局２１、２２、２３とする。制御装置２には網内端局１１、１２の間の現在の通信経路を他の経路に切り替える切替制御手段が設けられる。また、切替制御手段の一部として、通信経路の始点と終点との間の迂回路、始点または終点とひとつの経由点との間の迂回路、および経由点間の迂回路について、切替前と切替後の経由の違いおよび迂回路の終端点の違いによりあらかじめ分類した切替パターンを蓄える切替パターン分類テーブル３と、通信経路の切替前と切替後の経路の違いおよび迂回路の終端点の違いにより、クロスコネクトの方向転換および接続、切替前の経路で不要となったクロスコネクトの解放、およびクロスコネクトの復元のそれぞれの処理を類似機能ごとにあらかじめ複数の機能単位に分類して蓄えるクロスコネクト接続制御機能テーブル４とを備え、制御装置２には、現在の通信経路とその通信経路から切り替えるべき他の経路との情報から切替パターン分類テーブル３を検索するプログラム手段と、検索により得られた分類パターンにしたがって切替制御を実行するプログラム手段と、検索により得られた分類パターンによりクロスコネクト接続制御機能テーブル４を検索し、その分類パターンに対して実行すべき１または複数の機能単位を読み出して実行するプログラム手段とが設けられる。
【００１４】
切替パターンを分類するため、迂回路の終端点の種類、切替前の経路および切替後の経路の３点について着目する。
【００１５】
（１）迂回路の終点端の種類
迂回路の終点端の種類としては、パス端切替、故障端切替、パス端切り戻し、および故障端切り戻しの四つがある。パス端切替と故障端切替をそれぞれ図２、３に示す。パス端切替は網内端局を始点、終点とする迂回路への切替であり、通信経路が全体的に切り替えられる。例えば、網内端局１１、１２間のパスが現在は網内接局２１、２２を経由していたものを、他の網内接局２３を経由するように切り替える。故障端切替は網内接局を始点、終点とする迂回路への切替、または網内端局を始点、網内接局を終点とする迂回路への切替であり、通信経路の一部を切り替える。図３に示した例では、網内接局２１、２２間の直接経路を網内接局２３を経由する経路に切り替える。パス端切り戻しは、網内端局を始点、終点とする迂回路を本来の経路へ切り戻すものである。故障端切り戻しは、網内接局を始点、終点とする迂回路を本来の経路へ切り戻すものである。
【００１６】
（２）切替前の経路の種類
切替前の経路（現在の通信経路、（以下「現在経路」という）には、非切替中、パス端切替中、故障端切替中の三つの種類がある。非切替中の経路は迂回路への切替が行われていない経路であり、以下「本来経路」という。パス端切替中の経路とは、本来経路から見てパス端切替が行われた経路である。故障端切替中の経路とは、本来経路から見て故障端切替が行われた経路である。
【００１７】
（３）切替後の経路の種類
切替後の経路（以下「迂回経路」という）には、パス端切替中と、故障端切替中とがある。
【００１８】
以上の（１）〜（３）の種類の組み合わせから、切替可能なパターンを整理することにより、切替パターンを分類することができる。これをあらかじめ切替パターン分類テーブル３に蓄えておく。切替パターン分類テーブル３に蓄えられる内容を図４に示す。
【００１９】
各切替パターンについて、図５ないし図１５を参照して現在経路から迂回経路への切替例を説明する。図５は本来経路を示す図であり、通信経路が始点（網内端局）と終点（網内端局）との間に三つの接局を経由する経路Ａ、Ｂ、Ｃ、Ｄにより形成された状態を示す。この本来経路に対する切替例を各切替パターンに対応して図６ないし図１５に示す。
【００２０】
図６は第一の切替パターン、すなわち現在経路が非切替中であり、迂回経路がパス端切替中となる切替を示す。この切替パターンにおける切替方法はパス端切替であり、網内端局間の経路Ａ、Ｂ、Ｃ、Ｄの全体を別の経路Ｅ、Ｆ、Ｇに切り替える。
【００２１】
図７は第二の切替パターン、すなわち現在経路が非切替中であり、迂回経路が故障端切替中となる切替を示す。この切替パターンにおける切替方法は故障端切替であり、網内接局間の経路Ｂを故障端切替により他の経路Ｈ、Ｉに切り替える。
【００２２】
図８は第三の切替パターン、すなわち現在経路がパス端切替中であり、迂回経路もまたパス端切替中となる切替例を示す。この切替パターンにおける切替方法はパス端切替であり、本来経路とは異なって設定された経路Ｅ、Ｆ、Ｇをさらに別の網内接局を経由する経路Ｊ、Ｋ、Ｌに切り替える。
【００２３】
図９は第四の切替パターン、すなわち現在経路がパス端切替中であり、迂回経路もまたパス端切替中となる切替を示す。ただし、このときの切替方法は故障端切替である。この場合には、本来経路とは異なって設定された経路Ｅ、Ｍ、Ｎ、Ｇの一部の経路Ｍ、Ｎをさらに別の経路Ｏ、Ｐ、Ｑに切り替える。
【００２４】
第三の切替パターンと第四の切替パターンとの違いは、第三の切替パターンでは迂回経路全体が網内端局を始点終点とするパス端切替中の経路となるのに対し、第四の切替パターンでは網内接局を始点終点とする故障端切替中の経路が含まれることである。いずれの場合でも、切替後の経路として見れば、本来経路に対して網内端局を始点、終点とする迂回路への切替と同等であり、迂回経路としてはどちらもパス端切替中に分類することができる。
【００２５】
図１０は第五の切替パターン、すなわち現在経路がパス端切替中であり、迂回経路が故障端切替中となる切替を示す。この切替パターンは、本来経路とは異なって設定されたパス端切替中の経路Ｅ、Ｆ、Ｇを故障端切換中の経路に戻すのであるが、本来経路の一部に迂回の経路Ｈ、Ｉを設ける必要がある場合の切替を示す。このときの切替方法は故障端切替として分類するが、実際には故障端切替とパス端切り戻しとを併用した２ステップの切替となる。この切替パターンでは、まず、パス端切替中の現在経路とは別に、本来経路の一部に故障端切替により経路Ｈ、Ｉを設定し、その後に、パス端切替により網内端局を切り替える。
【００２６】
図１１は第六の切替パターン、すなわち現在経路が故障端切替中であり、迂回経路がパス端切替中となる切替を示す。このときの切替方法はパス端切替として分類するが、実際にはパス端切替と故障端切り戻しを併用した２ステップの切替えとなる。この切替パターンでは、最初に、故障端切替中の経路Ａ、Ｈ、Ｉ、Ｃ、Ｄからパス端切替により網内端局を切り替えて経路Ｅ、Ｆ、Ｇからなる迂回路を設定し、次に、故障端切替中の経路で使用していた経路Ｈ、Ｉを解放してパス端切替の経路を設定する。
【００２７】
図１２は第七の切替パターン、すなわち現在経路が故障端切替中であり、迂回経路もまた故障端切替中となる切替を示す。このときの切替方法は故障端切替であり、経路Ａ、Ｈ、Ｉ、Ｃ、Ｄからなる現在経路を経路Ａ、Ｈ、Ｉ、Ｃ、Ｒ、Ｓからなる迂回経路に切り替える。
【００２８】
図１３は第八の切替パターン、すなわち現在経路がパス切替中の迂回経路であり、これをパス端切替により本来経路に切り戻す切替を示す。この場合には、パス切替中の経路Ｅ、Ｆ、Ｇを本来経路Ａ、Ｂ、Ｃ、Ｄに戻す。
【００２９】
図１４は第九の切替パターン、すなわち現在経路が故障端切替中の迂回経路であり、これを故障端切り戻しにより本来経路に切り戻す切替を示す。この場合には、故障端切替中の経路Ｈ、Ｉを故障端切り戻しにより本来経路Ｂに戻す。
【００３０】
図１５は第十の切替パターン、すなわち現在経路が複数の故障端切替中経路を含み、その一部を本来の経路に切り戻す切替を示す。このときの切替方法は故障端切り戻しであり、故障端切替中の経路Ｈ、ＩおよびＲ、Ｓのうち、一方の経路Ｒ、Ｓを本来の経路Ｄに切り戻す。
【００３１】
このようにして分類された切替パターンに対し、各々のパターンに必要な処理を行ってクロスコネクト命令を作成する。各切替パターンに振り分けた処理についても、クロスコネクトの方向転換な接続だけでなく、切替前の経路で不要となったクロスコネクトの解放やクロスコネクトの復元などのさまざまな処理が必要である。そこで本実施例では、これらのクロスコネクト命令の作成処理をより効率的に行うために、各切替パターン毎により小さな機能単位（以下「機能ブロック」という）に分類し、類似機能を整理してクロスコネクト接続制御機能テーブブル４にあらかじめ蓄えておき、各切替パターンが必要な機能ブロックのクロスコネクト命令処理を順番に行う。
【００３２】
クロスコネクト命令作成の１機能となる機能ブロックの概要、および切替パターンとの関係について、図１６ないし図２５を参照して説明する。ここでは、９個の機能ブロックをＡ〜Ｉとして説明する。
【００３３】
図１６は機能ブロックＡの機能を説明する図である。この機能ブロックＡはパス端切替用のクロスコネクト命令を作成するものであり、網内端局のクロスコネクトを迂回経路に方向転換し、迂回経路の網内接局のクロスコネクトを接続する。この機能ブロックＡは、第一、第三および第六の切替パターンで共通に使用される。
【００３４】
図１７は機能ブロックＢの機能を説明する図である。この機能ブロックＢはパス端切り戻し用のクロスコネクト命令を作成するものであり、網内端局のクロスコネクトを本来経路に方向転換する。第八の切替パターンで使用される。
【００３５】
図１８および図１９は機能ブロックＣの機能を説明する図である。この機能ブロックＣはパス端切り戻し用のクロスコネクト命令を作成するものであり、網内端局のクロスコネクトを迂回経路に方向転換する。第五の切替パターンで使用される。
【００３６】
図２０は機能ブロックＤの機能を説明する図である。この機能ブロックＤは故障端切替用のクロスコネクト命令を作成するものであり、本来経路上の網内接局のクロスコネクトを迂回経路に方向転換し、迂回経路の網内接局のクロスコネクトを接続する。第二および第五の切替パターンで共通に使用される。
【００３７】
図２１は機能ブロックＥの機能を説明する図である。この機能ブロックＥは故障端切替用のクロスコネクト命令を作成するものであり、現在経路上の網内接局のクロスコネクトを迂回経路に方向展開し、迂回経路の網内接局のクロスコネクトを接続する。第四および第七の切替パターンで共通に使用される。
【００３８】
図２２は機能ブロックＦの機能を説明する図である。この機能ブロックＦは故障端切り戻し用のクロスコネクト命令を作成するものであり、網内端局のクロスコネクトを本来経路に方向転換する。第六、第九および第十の切替パターンで共通に使用される。
【００３９】
図２３は機能ブロックＧの機能を説明する図である。この機能ブロックＧは予備パス解放用のクロスコネクト命令を作成するものであり、パス端切替中の網内接局のクロスコネクトを解放する。第三、第六および第八の切替パターンで共通に使用される。
【００４０】
図２４は機能ブロックＨの機能を説明する図である。この機能ブロックＨは予備パス解放用のクロスコネクト命令を作成するものであり、切替前の経路で不要となった網内接局のクロスコネクトを解放する。第四の切替パターンで使用される。
【００４１】
図２５は機能ブロックＩの機能を説明する図である。この機能ブロックＩは予備パス解放用のクロスコネクト命令を作成するものであり、故障端切替中の網内接局のクロスコネクトを解放する。第六、第九および第十の切替パターンで共通に使用される。
【００４２】
このように、クロスコネクト命令作成処理を機能ブロックＡ〜Ｉという単位に分類し、各切替パターンに共通な機能をより多く抽出することによって、設定が容易になる。各切替パターンとそれに必要な機能ブロックとの関係、すなわちクロスコネクト接続制御機能テーブル４の内容について、図２６に示す。
【００４３】
図２７は制御装置２によるクロスコネクト命令作成の処理の流れを示す。
【００４４】
この処理では、まず、操作装置１から入力された迂回経路情報と現在経路情報とを取得し、それが切替か切り戻しかの確認を行う。切替の場合には第一ないし第七のいずれかの切替パターン、切り戻しの場合には第八ないし第十のいずれかの切替パターンに相当する。
【００４５】
次に、迂回の種類の確認を行う。迂回経路が網内端局を始点、終点とするパス切替の場合には、第一、第三または第六の切替パターンに相当する。網内端局を始点、終点とするパス切り戻しの場合には第八の切替パターンであり、機能ブロックＢの処理を行い、続いて機能ブロックＧの処理を行う。網内端局を始点、終点としていない場合、すなわち故障端切替または切り戻しである場合、故障端切替については第二、第四、第五または第七の切替パターンに相当する。故障端切り戻しについては第九または第十の切替パターンに相当する。
【００４６】
次に、現在経路の確認を行う。現在経路が非切替中の場合には第一または第二の切替パターンに相当し、第一の切替パターンのときには機能ブロックＡの処理、第二の切替パターンのときには機能ブロックＤの処理を行う。現在経路がパス端切替中の場合には第三、第四または第五の切替パターンに相当し、第三の切替パターンの場合には機能ブロックＡ、続いてＧの処理を行う。現在経路が故障端切替中の場合には第六または第七の切替パターンに相当し、第六の切替パターンのときには機能ブロックＡ、Ｆ、Ｉの処理を順に行う。第七の切替パターンのときには機能ブロックＥの処理を行う。
【００４７】
続いて、迂回経路の確認を行う。迂回経路がパス端切替中の場合には第四の切替パターンに相当し、機能ブロックＥ、続いてＨの処理を行う。迂回経路が故障端切替中の場合には第五または第十の切替パターンに相当し、第五の切替パターンのときには機能ブロックＤ、Ｃ、Ｇの処理を順に行う。第十の切替パターンのときには機能ブロックＦ、Ｉの処理を順に行う。本来経路にすべて切り戻る場合には、第九の切替えパターンに相当し、機能ブロックＦ、続いてＩの処理を行う。
【００４８】
次に制御装置２の動作について、図３に示した故障端切替を例に図２８ないし図３１を参照して説明する。図３に示した故障端切替では、現在経路が網内端局１１、１２間のパスを網内接局２１、２２を経由して接続する本来経路から、網内接局２１、２３、２２を経由する迂回経路に切り替える。制御装置２は、本来経路すなわち現在経路の情報をメモリに記憶している。ここで、網内端局１１、１２および網内接局２１〜２３のそれぞれのクロスコネクトの接点情報を図２８に示すようにＡ１〜Ａ６で表すものとする。接点Ａ１は本来経路からの入力、接点Ａ２、Ａ３は迂回路からの入力、接点Ａ４は本来経路への出力、接点Ａ５、Ａ６は迂回路への出力の接点を示す。制御装置２には、本来経路および現在経路（この例では同一）の始点情報、終点情報およびコネクション情報が記憶されている。
【００４９】
ここで、操作装置１から次の経路すなわち迂回経路を入力すると、制御装置２は、その始点情報、終点情報およびコネクション情報を記憶する。本来経路、現在経路および迂回経路の情報例を図２９に示す。この例では、本来経路および現在経路が、網内端局１１の接点Ａ１を始点、網内端局１２の接点Ａ４を終点とし、網内端局１１の接点Ａ４から網内接局２１の接点Ａ１、網内接局２１の接点Ａ４から網内接局２２の接点Ａ１、網内接局２２の接点Ａ４から網内端局１２の接点Ａ１の各経路を経由することを示す。また、迂回経路は、網内接局２１の接点Ａ６から網内接局２３の接点Ａ２、および網内接局２３の接点Ａ５から網内接局２２の接点Ａ３を経由するものであることを示す。
【００５０】
次に制御装置２は、現在経路と迂回経路とを基に、切替パターン分類テーブル３を検索する。現在経路は本来経路と等しく、したがって非切替中の経路である。また、切替後の経路は故障端切替中の経路であるから、切替パターンは第二のパターンとなる。
【００５１】
第二の切替パターンでクロスコネクト接続制御機能テーブル４を検索すると、機能ブロックＤを実行すればよいことがわかる。したがって制御装置２は、制御するクロスコネクト装置とその接点情報とからクロスコネクト命令を作成し、信号伝送路を介して各クロスコネクト装置に送信する。このときのクロスコネクト命令の送信および受信は公知のデータ伝送制御方法に基づいて行うことができるが、各クロスコネクト装置に命令を送信し、その装置から制御結果良好のデータを受信した後に次のクロスコネクト装置の制御に移行することが望ましい。
【００５２】
制御装置２によるクロスコネクト命令の作成についてさらに詳しく説明する。制御装置２は、メモリから現在経路の情報と迂回経路の情報とを読み出し、制御するクロスコネクト装置を識別する。さらに、現在経路と迂回経路とのコネクション情報を順に比較し、現在経路と迂回経路とのクロスコネクト装置が同じで接点情報が異なる場合には経路の切替であるから、クロスコネクト命令に、そのクロスコネクト装置、切替前情報および切替後情報を書き込む。この例を図３０に示し、接続制御の場合のクロスコネクト命令の例を図３１に示す。
【００５３】
【発明の効果】
以上説明したように、本発明のクロスコネクト接続方法および装置は、多種多様な迂回路の切替に対応するため、切替前と切替後の経路の違い、および迂回路の始点、終点の違いに着目し、切替パターンとして分類する。これにより、１つのパス情報から網内端局を始点、終点とする迂回路だけでなく、網内端局を始点、網内接局を終点とする迂回路や、網内接局を始点、終点とする迂回路など、多種多様な迂回路への切替が可能となる効果がある。
【図面の簡単な説明】
【図１】本発明実施例のクロスコネクト接続装置を示すブロック構成図。
【図２】パス端切替による通信経路の切替を示す図。
【図３】故障端切替による通信経路の切替を示す図。
【図４】切替パターン分類テーブルに蓄えられる内容を示す図。
【図５】本来経路を示す図。
【図６】第一の切替パターンを説明する図。
【図７】第二の切替パターンを説明する図。
【図８】第三の切替パターンを説明する図。
【図９】第四の切替パターンを説明する図。
【図１０】第五の切替パターンを説明する図。
【図１１】第六の切替パターンを説明する図。
【図１２】第七の切替パターンを説明する図。
【図１３】第八の切替パターンを説明する図。
【図１４】第九の切替パターンを説明する図。
【図１５】第十の切替パターンを説明する図。
【図１６】機能ブロックＡの機能を説明する図。
【図１７】機能ブロックＢの機能を説明する図。
【図１８】機能ブロックＣの機能を説明する図。
【図１９】機能ブロックＣの機能を説明する図。
【図２０】機能ブロックＤの機能を説明する図。
【図２１】機能ブロックＥの機能を説明する図。
【図２２】機能ブロックＦの機能を説明する図。
【図２３】機能ブロックＧの機能を説明する図。
【図２４】機能ブロックＨの機能を説明する図。
【図２５】機能ブロックＩの機能を説明する図。
【図２６】クロスコネクト接続制御機能テーブルの内容の一例を示す図。
【図２７】制御装置によるクロスコネネクト命令作成の処理の流れを示す図。
【図２８】網内端局および網内接局のそれぞれのクロスコネクトの接点を表す図。
【図２９】本来経路、現在経路および迂回経路の情報例を示す図。
【図３０】切替制御のためのクロスコネクト命令の一例を示す図。
【図３１】接続制御のためのクロスコネクト命令の一例を示す図。
【図３２】従来例のディジタル伝送路網切替方式を説明するブロック構成図。
【符号の説明】
１  操作装置
２  制御装置
３  切替パターン分類テーブル
４  クロスコネクト接続制御機能テーブル
１１、１２  網内端局
２１〜２３  網内接局
【図１】
0003572492.tif 000002
【図２】
0003572492.tif 000003
【図３】
0003572492.tif 000004
【図４】
0003572492.tif 000005
【図５】
0003572492.tif 000006
【図６】
0003572492.tif 000007
【図７】
0003572492.tif 000008
【図８】
0003572492.tif 000009
【図９】
0003572492.tif 000010
【図１０】
0003572492.tif 000011
【図１１】
0003572492.tif 000012
【図１２】
0003572492.tif 000013
【図１３】
0003572492.tif 000014
【図１４】
0003572492.tif 000015
【図１５】
0003572492.tif 000016
【図１６】
0003572492.tif 000017
【図１７】
0003572492.tif 000018
【図１８】
0003572492.tif 000019
【図１９】
0003572492.tif 000020
【図２０】
0003572492.tif 000021
【図２１】
0003572492.tif 000022
【図２２】
0003572492.tif 000023
【図２３】
0003572492.tif 000024
【図２４】
0003572492.tif 000025
【図２５】
0003572492.tif 000026
【図２６】
0003572492.tif 000027
【図２７】
0003572492.tif 000028
【図２８】
0003572492.tif 000029
【図２９】
0003572492.tif 000030
【図３０】
0003572492.tif 000031
【図３１】
0003572492.tif 000032
【図３２】
0003572492.tif 000033